(57)【要約】      （修正有）【課題】スライダの操作速度が遅くなっても、切り替え時の接点部負担は通常どおりであり、スパークの発生及び接点接触抵抗が増大することはなく、発熱によって部品が焼損したり、接点間の絶縁破壊が発生することのないスライド式シーソー接点スイッチを提供する。【解決手段】ケーシング１０内にスライダ３０とシーソー接点片２０と固定接点片１１とを備え、前記スライダにバネ孔を形成し、このバネ孔にアクションバネ４０を挿入するとともにその先端にアクション球４１を載置し、前記スライダを進退させる際に、前記アクション球の作用によって前記シーソー接点片がクリックストップ式にシーソー運動をし、このシーソー接点片を前記固定接点片に対してＯＮ・ＯＦＦさせるスライド式シーソー接点スイッチにおいて、前記バネ孔の開口を前記スライダのスライド方向に沿って長径の楕円状にするとともにこのバネ孔を開口端に向かってラッパ状にしたものである。【選択図】図１
0003173515.tif 000002
【実用新案登録請求の範囲】
【請求項１】
ケーシング内にスライダとシーソー接点片と固定接点片とを備え、前記スライダにバネ孔を形成し、このバネ孔にアクションバネを挿入するとともにその先端にアクション球を載置し、前記スライダを進退させる際に、前記アクション球の作用によって前記シーソー接点片がクリックストップ式にシーソー運動をし、このシーソー接点片を前記固定接点片に対してＯＮ・ＯＦＦさせるスライド式シーソー接点スイッチにおいて、    前記バネ孔の開口を前記スライダのスライド方向に沿って長径の楕円状にするとともにこのバネ孔を開口端に向かってラッパ状にしたことを特徴とするスライド式シーソー接点スイッチ。
【請求項２】
前記ケーシング内に戻しばねを設置し、前記スライダを前記戻しばねに抗して侵入させるとともに前記戻しばねの反発力によって後退させるようにしたことを特徴とする請求項１のスライド式シーソー接点スイッチ。
【請求項３】
前記バネ孔の底面にばね座を設けたことを特徴とする請求項１又は請求項２のスライド式シーソー接点スイッチ。
【請求項４】
前記バネ孔の傾斜面を内側方向に湾曲させたことを特徴とする請求項１、請求項２又は請求項３のスライド式シーソー接点スイッチ。 
【考案の詳細な説明】
【技術分野】
【０００１】    この考案はスライド式シーソー接点スイッチに関し、例えば、車両におけるオーバードライブ、ホーンスイッチ等に使用されるものである。
【背景技術】
【０００２】    従来におけるこの種のスライド式シーソー接点スイッチは、  ケーシング内にスライダとシーソー接点片と固定接点片とを備え、前記スライダにバネ孔を形成し、このバネ孔にアクションバネを挿入するとともにその先端にアクション球を載置したものであり、前記スライダを進退させる際に、前記アクション球の作用によって前記シーソー接点片をクリックストップ式にシーソー運動させ、このシーソー接点片を前記固定接点片に対して接触・離間させることにより、接点を切り替えていた。【０００３】
【特許文献１】特開２００３−３３１６９１号公報
【考案の開示】
【考案が解決しようとする課題】
【０００４】    しかしながら、かかる従来のスライド式シーソー接点スイッチにあっては、スライダの操作速度とシーソー接点片の切り替え速度が同一のため、操作する速度が極端に遅い場合、切り替え時の接点部負担が大きくなってスパーク発生が大きくなる結果、発熱によって部品が焼損したり、接点間の絶縁破壊が発生しやすいという不都合を有した。【０００５】この不都合を解消することがこの考案の課題である。
【課題を解決するための手段】
【０００６】    前記不都合を解消するために、この考案に係るスライド式シーソー接点スイッチにおいては、ケーシング内にスライダとシーソー接点片と固定接点片とを備え、前記スライダにバネ孔を形成し、このバネ孔にアクションバネを挿入するとともにその先端にアクション球を載置し、前記スライダを進退させる際に、前記アクション球の作用によって前記シーソー接点片がクリックストップ式にシーソー運動をし、このシーソー接点片を前記固定接点片に対してＯＮ・ＯＦＦさせるスライド式シーソー接点スイッチにおいて、    前記バネ孔の開口を前記スライダのスライド方向に沿って長径の楕円状にするとともにこのバネ孔を開口端に向かってラッパ状にしたものである。【０００７】    この場合、前記ケーシング内に戻しばねを設置し、前記スライダを前記戻しばねに抗して侵入させるとともに前記戻しばねの反発力によって後退させるようにすることもできる。【０００８】    また、前記バネ孔の底面にばね座を設けることもできる。【０００９】    更に、前記バネ孔の傾斜面を内側方向に湾曲させることもできる。
【考案の効果】
【００１０】    この考案に係るスライド式シーソー接点スイッチにおいては、ケーシング内にスライダとシーソー接点片と固定接点片とを備え、前記スライダにバネ孔を形成し、このバネ孔にアクションバネを挿入するとともにその先端にアクション球を載置し、前記スライダを進退させる際に、前記アクション球の作用によって前記シーソー接点片がクリックストップ式にシーソー運動をし、このシーソー接点片を前記固定接点片に対してＯＮ・ＯＦＦさせるスライド式シーソー接点スイッチにおいて、    前記バネ孔の開口を前記スライダのスライド方向に沿って長径の楕円状にするとともにこのバネ孔を開口端に向かってラッパ状にしたため、アクションバネは前記バネ孔内においてスライダの進退方向に揺動できる結果、スライダの操作速度が遅くなっても、スライダによるシーソー接点片のクリックストップ式の接点切り替えは瞬時に行われるものである。【００１１】    よって、このスライド式シーソー接点スイッチを使用すれば、スライダの操作速度が遅くなっても、切り替え時の接点部負担は通常どおりであり、スパークの発生及び接点接触抵抗が増大することはない結果、従来のように発熱によって部品が焼損したり、接点間の絶縁破壊が発生することはないものである。【００１２】    この場合、前記ケーシング内に戻しばねを設置し、前記スライダを前記戻しばねに抗して侵入させるとともに前記戻しばねの反発力によって後退させるようにすれば、プッシュスイッチとして使用することができる。【００１３】    また、前記バネ孔の底面にばね座を設ければ、アクションバネの揺動中心が安定するため、シーソー接点片の接点切り替え速度を安定化させることができる。【００１４】    更に、前記バネ孔の傾斜面を内側方向に湾曲させれば、アクションバネの側面が傾斜面に当接した際にこのアクションバネは湾曲状に撓み、この撓みの反発力によって接点切り替え速度を更に早くすることができる。
【考案を実施するための最良の形態】
【００１５】    この考案に係るスライド式シーソー接点スイッチは実施するにあたって下記の構成に最も主要な特徴を有する。【００１６】    スライダのバネ孔は有底であり、底面は真円状である。【００１７】    アクションバネは、圧縮コイルスプリングが適している。【００１８】    スライダを前記戻しばねに抗して侵入させるとともに前記戻しばねの反発力によって後退させることもできる。【００１９】    バネ孔の底面にばね座を設けるたこともできる。【００２０】    バネ孔の傾斜面を内側方向に湾曲させることもできる。
【実施例】
【００２１】    以下、この考案の実施例を図面に基づいて説明する。【００２２】    図１〜図８はこの考案に係るスライド式シーソー接点スイッチの第一実施例の操作状態を示した断面図であり、図１はスライダ停止で回路ＯＮ状態、図２はスライダ押し込み開始で回路ＯＮ状態、図３はスライダ押し込み切換え直前で回路ＯＮ状態、図４はスライダ押し込み切換え直後で回路ＯＮ→ＯＦＦ状態、図５はスライダ押し込み最大で回路ＯＦＦ状態、図６はスライダ戻り開始で回路ＯＦＦ状態、図７はスライダ切換え直前で回路ＯＦＦ状態、図８はスライダ戻り切換え直後で回路ＯＦＦ→ＯＮ状態、図９は図１の部分に相当する第２実施例の部分拡大図である。【００２３】    図において、Ａはスライド式プッシュスイッチ（この考案の「スライド式シーソー接点スイッチ」に相当する）、１０はそのケーシングである。このケーシング１０は有底筒状である。１１，１２はターミナルであり前記ケーシング１０の底部にインサートされている。ターミナル１１は前記ケーシング１０内に突出しその先端には固定接点１３が設けられている。なお、このターミナル１１はこの考案の固定接点片を構成している。また、ターミナル１２は前記ケーシング１０の内壁面に沿って延びその先端は垂直状に折り曲げられている。このターミナル１２の折り曲げられた先端には透孔１４が設けられシーソー支点として機能する。【００２４】    ２０はシーソー接点片であり、前記透孔１４に貫通し揺動可能に載置されている。このシーソー接点片２０は前記ターミナル１２と通電状態である。２１，２２はクリック用凹部２１，２２であり、前記シーソー接点片２０における前記透孔１４の両側に形成されている。このクリック用凹部２１，２２の機能は後記する。２３はシーソー接点であり、前記シーソー接点片２０の内側先端部に設置されている。このシーソー接点２３は前記シーソー接点片２０の揺動にしたがって、前記ターミナル１１の固定接点１３に接触・離間する。【００２５】    １５は戻しばね座であり、前記ケーシング１０に有底筒状に形成されている。この戻しばね座１５にはコイル状の戻しばね（圧縮ばね）１６が収容され、先端部は突出している。【００２６】    次に、３０はスライダであり、前記ケーシング１０内にスライド可能に内嵌めされている。３１は前記スライダ３０の本体、３２は凸状ばね座、３３は操作ロッド部である。前記凸状ばね座３２に前記戻しばね（圧縮ばね）１６の先端が嵌挿している。このため、前記スライダ３０はこの戻しばね（圧縮ばね）１６に抗して進入し、同反発力によって後退する。【００２７】    ３４はバネ孔であり、前記スライダ本体３１の下面に形成されている。このバネ孔３４の開口３５は、前記スライダ３０スライド方向に沿って長径を有する楕円状をしている。そして、前記バネ孔３４は、その底部３６からこの開口３５端に向かってラッパ状に拡径している。【００２８】    ４０はアクションバネであり、前記バネ孔３４に揺動可能に内嵌めされている。このアクションバネ４０はコイル状の圧縮ばねである。４１はアクション球であり、前記アクションバネ４０の先端（下端）に載置されている。このアクション球４１は前記バネ孔３４から突出し、アクション���ネ４０の弾性によって前記シーソー接点片２０に当接し、前記スライダ３０の進退に従って前記クリック用凹部２１，２２の間を瞬時に移動しながら、前記シーソー接点片２０を揺動させ、そのシーソー接点２３を前記ターミナル１１の固定接点１３に接触・離間させる。【００２９】    次に、図に基づいて、このスライド式プッシュスイッチＡの作動について説明する。【００３０】    図１はスライダ３０が停止で回路がＯＮの状態である。このとき、アクション球４１は前記シーソー接点片２０の前記クリック用凹部２１に嵌挿し、前記シーソー接点２３は前記固定接点１３に接触している。【００３１】    この状態で、戻しばね１６に抗してスライダ３０の押し込みを開始する（図２参照）。すると、アクションバネ４０の根幹部はスライダ３０とともに押し込まれるが、バネ孔３４の開口部３５は楕円状であるため、前記アクション球４１はスライダ３０の移動と同じ割合で移動せず、前記クリック用凹部２１から僅かに移動するのみである。このとき、前記シーソー接点２３は前記固定接点１３に接触している。【００３２】    そして、スライダ３０を更に押し込むと、アクション球４１はスライダ３０の移動速度よりも高速で瞬時に前記シーソー接点片２０の支点部２５を乗り越え（図３、図４参照）る。すると、前記シーソー接点片２０を時計回りして前記シーソー接点２３を前記固定接点１３から離間させる。そして、押し込みが最大になったとき前記アクション球４１は前記クリック用凹部２２に嵌挿する。このとき、前記シーソー接点２３は前記固定接点１３から離間している（図５参照）。【００３３】    この状態で、前記操作ロッド部３３の押し込みを解除し、戻しばね１６の反発力によって前記スライダ３０の戻りを開始する（図６参照）。すると、前記アクションバネ４０の根幹部は前記スライダ３０とともに戻るが、前記バネ孔３４の開口部３５が楕円状であるため、前記アクション球４１はスライダ３０の移動と同じ割合で移動せず、前記クリック用凹部２２から僅かに移動するのみである。このとき、前記シーソー接点２３は前記固定接点１３から離間している。【００３４】    そして、前記スライダ３０を更に戻すと、前期アクション球４１は前記スライダ３０の移動速度よりも高速で瞬時に前記シーソー接点片２０の支点部２５を乗り越え（図７、図８参照）る。すると、前記シーソー接点片２０を反時計回りして、前記シーソー接点２３を前記固定接点１３に接触させる。そして、押し込みが最大になったときアクション球４１は前記クリック用凹部２１に嵌挿する。このとき、前記シーソー接点２３は前記固定接点１３に接触している（図１参照）。【００３５】    なお、図９に示すように、前記バネ孔３４の底面３６に凸状のばね座５１を設け、このばね座５１に前記アクションバネ４０を外嵌めすれば、このアクションバネ４０の揺動中心が安定するため、前記シーソー接点片２０の接点切り替え速度を安定化させることができる。【００３６】    また、図９に示すように、前記バネ孔３４の傾斜面５２，５２を内側方向に突出湾曲させれば、前記アクションバネ４０の側面が傾斜面５２に当接した際にこのアクションバネは湾曲状に撓み、この撓みの反発力によって接点切��替え速度を更に早くすることができる。
【産業上の利用可能性】
【００３７】    この考案に係るスライド式シーソー接点スイッチは、スライダの操作速度が遅くなっても、スライダによるシーソー接点片のクリックストップ式の接点切り替えは瞬時に行われる。よって、スライダの操作速度が遅くなっても、切り替え時の接点部負担は通常どおりであり、スパークの発生及び接点接触抵抗が増大することはない結果、従来のように発熱によって部品が焼損したり、接点間の絶縁破壊が発生することはない。産業上の利用可能性は高いものである。 
【図面の簡単な説明】
【００３８】
【図１】図１はこの考案に係るスライド式シーソー接点スイッチの第一実施例の操作状態を示した断面図であり、スライダ停止で回路ＯＮ状態を示している。
【図２】図２は同スライダ押し込み開始で回路ＯＮ状態を示している。
【図３】図３は同スライダ押し込み切換え直前で回路ＯＮ状態を示している。
【図４】図４は同スライダ押し込み切換え直後で回路ＯＮ→ＯＦＦ状態を示している。
【図５】図５は同スライダ押し込み最大で回路ＯＦＦ状態を示している。
【図６】図６は同スライダ戻り開始で回路ＯＦＦ状態を示している。
【図７】図７は同スライダ切換え直前で回路ＯＦＦ状態を示している。
【図８】図８は同スライダ戻り切換え直後で回路ＯＦＦ→ＯＮ状態を示している。
【図９】図９は図１の部分に相当する第２実施例の部分拡大図である。
【符号の説明】
【００３９】      Ａ  …  スライド式プッシュスイッチ（スライド式シーソー接点スイッチ）      １０  …  ケーシング      １１  …  ターミナル（固定接点片）      １２  …  ターミナル      １３  …  固定接点      １４  …  透孔（シーソー支点）      ２０  …  シーソー接点片      ２１  …  クリック用凹部      ２２  …  クリック用凹部      ２３  …  シーソー接点      １５  …  戻しばね座      １６  …  戻しばね      ３０  …  スライダ      ３１  …  スライダの本体      ３２  …  凸状ばね座      ３３  …  操作ロッド部      ３４  …  バネ孔      ３５  …  バネ孔の開口      ３６  …  バネ孔の底部      ４０  …  アクションバネ      ４１  …  アクション球      ５１  …  ばね座      ５２  …  バネ孔の傾斜面 
【図１】
0003173515.tif 000003
【図２】
0003173515.tif 000004
【図３】
0003173515.tif 000005
【図４】
0003173515.tif 000006
【図５】
0003173515.tif 000007
【図６】
0003173515.tif 000008
【図７】
0003173515.tif 000009
【図８】
0003173515.tif 000010
【図９】
0003173515.tif 000011